(57)【特許請求の範囲】
【請求項１】
ソケット本体に複数本の端子を差込んで取付けられたリレーの取外し時に、当該リレーをソケット本体より引抜いて取外すイジェクタを備えたイジェクタ機構であって、
前記イジェクタは、
前記リレーを内部に収容して取付けられたソケット本体を平面視したとき、前記リレーに対して下側において、前記リレーと重複する位置に軸心を有する軸支部を介してソケット本体に軸支されるリレー収容部と、
前記リレー収容部の下部にあり前記リレーの前記ソケット本体への取付け面を開口し、前記リレーの前記ソケット本体への取付けを許容する四角形状の開口部と、
前記開口部の縁を構成すると共に、前記ソケット本体と前記リレーとの取付け面間に介在して前記リレーの取付け面側に対して円弧面の一部が接する押し上げ弯曲面と、
前記軸支部を傾動支点に前記イジェクタを傾動許容する傾動許容手段とを有し、
前記傾動許容手段による前記イジェクタの傾動時に、前記押し上げ弯曲面とリレー取付け面との接触位置を漸次変位させながら、リレーをソケット本体より離間する押し上げ方向に移動させることを特徴とする
イジェクタ機構。
【請求項２】
前記イジェクタは、前記押し上げ弯曲面を前記リレーの取付け面に対応する両側位置に形成したことを特徴とする
請求項１記載のイジェクタ機構。
【請求項３】
前記イジェクタは、外端部に傾動操作用の押片を形成した
請求項１または２記載のイジェクタ機構。
【請求項４】
請求項１、２または３記載のイジェクタ機構を備えたソケット。
【発明の詳細な説明】
【０００１】
【発明の属する技術分野】
この発明は、例えば小型スイッチ、多極ソケット等のリレーの取外しに使用されるようなイジェクタ機構に関し、さらに詳しくはソケット本体からリレーを容易に取外すことができるリレーの取扱い性能を高めたイジェクタ機構およびソケットに関する。
【０００２】
【従来の技術】
一般に、この種のイジェクタ機構は、ソケット本体の端子接続部にリレーの端子を差込んでソケット本体とリレーとを一体に接続し、またこの接続部間にリレー取外し用のイジェクタを介在させておいて、リレーを点検・交換する等の理由で取外す時にはイジェクタを動作させて、リレーを引抜く方向に外力を加えてソケット本体より取外している。
【０００３】
この場合、ソケット本体からリレーを引抜くには、ソケット本体に取付けられたイジェクタの「てこの原理」を利用して小さな力を大きな引抜き力に変換させている。
【０００４】
ところが、この「てこの原理」を利用したイジェクタの作用点は、リレーの引抜き動作中も終始一点が接触して引抜き力を付与する構成のため、リレーが引抜き始められて移動するに従って、この作用点はリレーの引抜き動作中に接触角度が異なり、イジェクタの引抜き力はリレーの引抜き方向より若干傾いた異方向に加わることになり、この結果、イジェクタの作用点に負荷が集中して破損しやすくなっていた。
【０００５】
特に、リレーは同じ大きさで極数の異なるものがシリーズ化されているが、接続される端子の極数が多いと、これに比例してリレーを引抜くために要する力も大きくなる。したがって、イジェクタ自身にかかる傾動操作力も同様に大きくなり、イジェクタの作用点は高強度を要することになる。
【０００６】
しかし、現状では極数が多くなると、多くの端子が限られた面積上に集中配置されて、イジェクタの作用点を配置させるためのスペースが制約されて十分な強度形状が得られず、このためイジェクタの作用点が折れやすく、また折れたときはイジェクタの取外し動作が不能になり、多極化したリレーの引抜きに必要なイジェクタ強度を十分に持たせられない問題を有していた。
【０００７】
【発明が解決しようとする課題】
そこでこの発明は、リレーの引抜きに際して、てこの原理を利用したイジェクタの作用点を漸次変位させることに着目し、この作用点を漸次変位させることによりリレーは最初から最後まで引抜き方向に沿って直線状に力が加えられ、またイジェクタの作用点は終始一定の負荷が保たれて破損する恐れもなくなり、円滑で信頼性の高い引抜き動作が得られるイジェクタ機構およびソケットの提供を目的とする。
【０００８】
【課題を解決するための手段】
この発明は、ソケット本体に複数本の端子を差込んで取付けられたリレーの取外し時に、当該リレーをソケット本体より引抜いて取外すイジェクタを備えたイジェクタ機構であって、前記イジェクタは、前記リレーを内部に収容して取付けられたソケット本体を平面視したとき、前記リレーに対して下側において、前記リレーと重複する位置に軸心を有する軸支部を介してソケット本体に軸支されるリレー収容部と、前記リレー収容部の下部にあり前記リレーの前記ソケット本体への取付け面を開口し、前記リレーの前記ソケット本体への取付けを許容する四角形状の開口部と、前記開口部の縁を構成すると共に、前記ソケット本体と前記リレーとの取付け面間に介在して前記リレーの取付け面側に対して円弧面の一部が接する押し上げ弯曲面と、前記軸支部を傾動支点に前記イジェクタを傾動許容する傾動許容手段とを有し、前記傾動許容手段による前記イジェクタの傾動時に、前記押し上げ弯曲面とリレー取付け面との接触位置を漸次変位させながら、リレーをソケット本体より離間する押し上げ方向に移動させることを特徴とする。
【０００９】
この結果、リレー引抜き方向の直線的な引抜き移動量に対し、傾動変位して動作する押し上げ弯曲面の傾動変位量が極めて小さくなるためリレーの引抜き方向と押し上げ弯曲面の押し上げ方向とは略同方向に保つことができる。
【００１０】
したがって、イジェクタの傾動に伴ってリレーに引抜き力を与えるとき、てこの原理を利用したイジェクタの作用点に相当する押し上げ弯曲面はリレーが引抜き方向に次第に引抜かれ始めても、この引抜き移動に追従する如く漸次変位して押し上げ弯曲面の押し上げ方向とリレーの引抜き方向とを終始一致させることができ、円滑な引抜き動作が得られる。ことに、リレーの引抜き時には、傾動支点の近い所から遠い所へと作用点が移動するので、イジェクタ操作時に操作力が小さくて済み、イジェクタにかかる負荷を低減できる。
【００１１】
特に、押し上げ弯曲面の接触位置が漸次変位してリレーの引抜き方向と同方向の引抜き力を付与するため、この押し上げ弯曲面に対する負荷が一定に保たれて安定した引抜き力が得られる。また、この押し上げ弯曲面は傾動に伴って流動的に面接触し、しかも引抜き角度が終始同角度に保たれるため引抜き負荷が局部的に集中しなくなり、端子に対する曲りなどのストレスを最小限に抑制して破損等の恐れを解消した高耐久性のイジェクタを実現できる。
【００１２】
また、多極化により端子の数が増えて大きな引抜き力を要しても、リレーの引抜き方向と同方向に直線状の力を付与し続けるためリレーは略垂直に安定して引抜かれる。このため、多極化してもリレーの取外し性能を高めることができる。
【００１３】
また、イジェクタに形成される押し上げ弯曲面を、リレーの取付け面と対向する両側位置に設けた場合は、単一のリレーを両側よりバランスよく押上げて、リレーの取付け面に対する均等な引抜き力を付与することができる。
【００１４】
さらに、イジェクタの外端部に傾動操作用の押片を形成した場合は、この押片を指先で傾動操作させるだけでイジェクタが傾動してリレーを簡単に取外し操作することができる。
【００１５】
このようなイジェクタ機構をソケットに備えれば、ソケットに接続されるリレーを円滑に着脱して取扱いが容易になり、リレー着脱操作性能およびイジェクタ保護性能を向上でき、また信頼性の高いソケットの利用が図れる。
【００１６】
【発明の実施の形態】
この発明の一実施の形態を以下図面に基づいて詳述する。
図面は多極ソケットを示し、図１〜図３において、この多極ソケット１１は長方体状のソケット本体１２の上面にイジェクタ１３と、リレー１４とを搭載して構成される。
【００１７】
上述のソケット本体１２は、上面中央部にイジェクタ取付け部１５とリレー搭載面１６を有し、長手方向の上面両側位置にケーブルを差込み式に取付けるための多数の開口接続部１７…を有している。
【００１８】
イジェクタ取付け部１５は、イジェクタ１３の下部を収納させるコ形収納溝１８を設け、このコ形収納溝１８とソケット本体１２の両側面で連通する軸支孔１９…を開口し、ここに後述するイジェクタ１３が傾動自由に軸支される。
【００１９】
リレー搭載面１６は上述のコ形収納溝１８で囲まれる位置にリレー１４の下面と対応して形成され、上面に多極端子差込み用に縦横（例えば４列×４列）に整列して開口する端子接続口２０を有している。
【００２０】
また、ソケット本体１２の底面中央部には凹形に切欠いた取付け凹部２１および取付け機構２２を備えており、これらの取付け凹部２１および取付け機構２２を介して図示しない各種取付けレールなどに取付けられる。
【００２１】
上述のイジェクタ１３は、ソケット本体１２の上面に搭載されたリレー１４をソケット本体１２より引抜いて取外すイジェクタ機能を有するものであって、上述したソケット本体１２のコ形収納溝１８に傾動許容スペースを有して収納され、その両側に位置するＬ形状の両側板２３の外面には枢支軸２４をそれぞれ突設し、両側の枢支軸２４を上述したソケット本体１２の各軸支孔１９に軸支させて、両軸支孔１９を傾動支点にイジェクタ１３をソケット本体１２の長手方向に傾動自由に保持している。
【００２２】
両側板２３の各内面側には山形に弯曲したアーチ状の押し上げ弯曲面２５を有しており、この押し上げ弯曲面２５は枢支軸２４側から側板２３に沿って先端まで細長く続く狭幅の円弧面に形成し、枢支軸２４側の位置をリレー１４との初期接触用に高く、先端側を低く設定している。これにより、後述するリレー１４を取付けたときは、取付けられたリレー１４の下面が高い位置の押し上げ弯曲面２５に一部が接触対応した状態で取付けられる。
【００２３】
そして、これよりイジェクタ１３を枢支軸２４を傾動支点に傾動させると、押し上げ弯曲面２５は高い位置から低い位置へと接触位置を漸次変位させながら後述するリレー１４を上方に押し上げて引抜き動作させる。
【００２４】
また、イジェクタ１３の下部中央には後述するリレー１４を着脱許容するための四角形状の端子開口窓２６を開口している。このイジェクタ１３の上部片側には、傾動操作用の押片２７を突出形成しており、この押片２７を指先で長手方向の外向きに押圧操作するだけでイジェクタ１３は枢支軸２４を支点に傾動し、これに伴ってリレー１４は取外し操作される。
【００２５】
上述のリレー１４は、ソケット本体１２に搭載可能な小型の長方体に形成され、このリレー１４の下面２８に多極形の多くの端子２９…を垂設しており、これらの端子２９…がソケット本体１２の各端子接続口２０に対応して上方より真下に押し込んで接続する差込み式に接続される。
【００２６】
このとき、図４にも示すように、リレー１４の下面２８の両側縁部２８ａが既述したイジェクタ１３の両側に位置する両押し上げ弯曲面２５にそれぞれ接触対応した状態になっており、リレー１４がさらに押し込まれて図５に示すように、ソケット本体１２の上面に装着される。
【００２７】
このリレー１４をイジェクタ１３を介してソケット本体１２に取付けたときは、図５に示すように、リレー１４の各端子２９…がソケット本体１２の各端子接続口２０の内方に対向する板バネ挟持形のコンタクト３０に差込んだ状態で連結される。
【００２８】
このように構成された多極ソケット１１は、通常、図３〜図５に示すように、ソケット本体１２上にイジェクタ１３を介してリレー１４を一体に搭載した状態で使用されている。そして、この多極ソケット１１のリレー１４を、点検、交換などでソケット本体１２から取外す際は、図６に示すように、先ず、作業者が押片２７を指先で押してイジェクタ１３を後傾させ始める。
【００２９】
このとき、イジェクタ１３の両側に位置する押し上げ弯曲面２５が、その上面に接しているリレーの下面２８を上方に押し上げ、枢支軸２４を傾動支点に傾動したときに、この枢支軸２４の近い位置から遠い位置へと漸次変位しながら真上に押上げ、引抜き方向と同方向に傾動作用させてリレー１４との接触位置は、図７に示すように、リレー下面２８の中央部とは大きく変位せず、このリレー１４を垂直方向に安定して押し上げる。
【００３０】
この場合、リレー引抜き方向の直線的な引抜き移動量に対し、傾動変位して動作する押し上げ弯曲面２５の傾動変位量が極めて小さいためリレー１４の引抜き方向と押し上げ弯曲面２５の押し上げ方向とは略同方向に設定することができる。
【００３１】
また、この押し上げ弯曲面２５は傾動に伴って流動的に面接触し、しかも引抜き角度が終始同角度に保たれるため引抜き負荷が局部的に集中しなくなり、破損等の恐れが解消された高耐久性のイジェクタ１３を実現できる。
【００３２】
さらに、多極化により端子の数が増えて大きな引抜き力を要するが、リレー１４の引抜き方向と同方向に直線状の力を付与し続けるためリレー１４は略垂直に安定して引抜かれる。ことに、端子に対する曲りなどのストレスを最小限に抑制できるため、多極ソケット１１に適したリレー１４の取外し性能が得られる。
【００３３】
また、イジェクタ１３に形成される押し上げ弯曲面２５を、リレー１４の取付け面と対向する両側位置に設けているため、単一のリレー１４を両側よりバランスよく押上げて、リレー１４の取付け面に対する均等な引抜き力を付与することができる。
【００３４】
そして、図８にも示すように、イジェクタ１３を大きく傾動させた時点で、リレー１４の端子２９はコンタクト３０より外れてソケット本体１２より完全に取外されてリレー１４の引抜き動作が完了する。
【００３５】
上述のように、イジェクタの傾動に伴ってリレーに引抜き力を与えるとき、てこの原理を利用したイジェクタの作用点に相当する押し上げ弯曲面は、リレーが引抜き方向に引抜かれ始めても、この引抜き移動に追従する如く漸次変位して押し上げ弯曲面の押し上げ方向とリレーの引抜き方向とを終始一致させることができるため、円滑な引抜き動作が得られる。
【００３６】
この発明と、上述の実施の形態の構成との対応において、
この発明のソケットは、実施の形態の多極ソケット１１に対応し、
以下同様に、
軸支部は、軸支孔１９と枢支軸２４に対応し、
傾動許容手段は、イジェクタ１３を傾動許容保持する軸支孔１９と枢支軸２４およびコ形収納溝１８に対応し、
リレー収容部は、イジェクタ１３のＬ形状の両側板２３と、押し上げ弯曲面２５と、端子開口窓２６によって構成される空間に対応し、
開口部は、端子開口窓２６に対応するも、
この発明は請求項に示される技術思想に基づいて応用することができ、上述の実施の形態の構成のみに限定されるものではない。
【００３７】
【発明の効果】
この発明によれば、押し上げ弯曲面の接触位置が漸次変位してリレーの引抜き方向と同方向の引抜き力を付与するため、この押し上げ弯曲面に対する負荷が一定に保たれて安定した引抜き力が得られる。また、この押し上げ弯曲面は傾動に伴って流動的に面接触し、しかも引抜き角度が終始同角度に保たれるため引抜き負荷が局部的に集中しなくなり、破損等の恐れが解消された高耐久性のイジェクタを実現できる。
【００３８】
殊に、請求項１に記載の発明によれば、イジェクタがソケット本体に対して傾動するために要する、リレー後方側の空間を大幅に省くことができる。このため、リレーをソケット本体に対して着脱する際に、傾動変位させたイジェクタがソケット本体の周辺に有する機器に干渉してしまうことを防ぐことができるとともに、リレーをソケット本体に対して容易に着脱させることができるといった効果を奏することができる。
【００３９】
また、請求項１に記載の発明によれば、リレーを押し上げる力点となる押し上げ弯曲面をリレーの底面中央側に配していますが、この押し上げ弯曲面に、軸支部を近づけて構成することができる。このように、押上げ弯曲面を底面中央側に配した状態で、該押上げ弯曲面と軸支部との間隔を小さく設定することができるため、リレー自体や多極ソケットに負荷がかからないようリレーを真上方向に押し上げることができるという効果とともに、「テコの原理」をより活かすことができ、少ない力でさらに効率的に押し上げることができるという効果を同時に奏することができる。
【図面の簡単な説明】
【図１】  上方から見た多極ソケットの展開斜視図。
【図２】  下方から見た多極ソケットの展開斜視図。
【図３】  多極ソケットを組立てた外観斜視図。
【図４】  多極ソケットの内部構造を示す縦断正面図。
【図５】  多極ソケットの内部構造を示す縦断側面図。
【図６】  多極ソケットの初期引抜き状態を示す縦断側面図。
【図７】  多極ソケットの引抜き完了状態を示す縦断側面図。
【図８】  多極ソケットの引抜き完了状態を示す外観斜視図。
【符号の説明】
１１…多極ソケット
１２…ソケット本体
１３…イジェクタ
１４…リレー
１８…コ形収納溝
１９…軸支孔
２４…枢支軸
２５…押し上げ弯曲面
２７…押片
２８…リレーの下面
２８ａ…両側縁部
２９…端子
【図１】
0003864667.tif 000002
【図２】
0003864667.tif 000003
【図３】
0003864667.tif 000004
【図４】
0003864667.tif 000005
【図５】
0003864667.tif 000006
【図６】
0003864667.tif 000007
【図７】
0003864667.tif 000008
【図８】
0003864667.tif 000009